(57)【要約】【課題】使用位置から立上がり補助位置への調節およびこの逆への調節が可能な家具の全体を、より容易に移動できるように構成することにある。【解決手段】座面および／またはリクライニング面を備えた家具であって、座面および／またはリクライニング面は、使用位置から立上がり補助位置への調節およびこの逆への調節が可能であり、座面および／またはリクライニング面は、使用位置と比較して、立上がり補助位置では少なくとも部分的に上昇および／または下降される構成の家具において、家具を移動させるための複数のローラが設けられ、少なくとも１つのローラをロックするための固定手段が設けられ、該固定手段は、座面および／またはリクライニング面を使用位置から立上がり補助位置に調節する間に少なくとも１つのローラを強制的にロックするように構成されていることを特徴とする家具。【選択図】図２
2011245304.tif 000002
【特許請求の範囲】
【請求項１】
座面および／またはリクライニング面を備えた家具（１）であって、
座面および／またはリクライニング面は、使用位置から立上がり補助位置への調節およびこの逆への調節が可能であり、
座面および／またはリクライニング面は、使用位置と比較して、立上がり補助位置では少なくとも部分的に上昇および／または下降される構成の家具（１）において、
家具（１）を移動させるための複数のローラ（６、７）が設けられ、
少なくとも１つのローラ（７）をロックするための固定手段（１２）が設けられ、該固定手段（１２）は、座面および／またはリクライニング面を使用位置から立上がり補助位置に調節する間に少なくとも１つのローラ（７）を強制的にロックするように構成されていることを特徴とする家具。
【請求項２】
前記固定手段（１２）は、立上がり補助位置から使用位置への座面および／またはリクライニング面の調節中に、少なくとも１つのローラ（７）を強制的に解放するように構成されていることを特徴とする請求項１記載の家具。
【請求項３】
前記固定手段（１２）は、機械的に、電気的に、油圧的におよび／または空気圧的に作動され、少なくとも１つのローラをロックしおよび／または解放することを特徴とする請求項１または２記載の家具。
【請求項４】
フィッティング（８）が設けられており、該フィッティング（８）は、使用位置から立上がり補助位置および／またはこの逆への座面および／またはリクライニング面の調節中に固定手段（１２）と接触して、該固定手段（１２）が少なくとも１つのローラ（７）をロックしおよび／または解放するように作動させることを特徴とする請求項１〜３のいずれか１項記載の家具。
【請求項５】
前記固定手段（１２）はレバー機構（１３）を有し、該レバー機構（１３）は、使用位置から立上がり補助位置および／またはこの逆への座面および／またはリクライニング面の調節中にフィッティング（８）と接触することにより作動されることを特徴とする請求項４記載の家具。
【請求項６】
前記レバー機構（１３）は、より詳しくは連結ロッド（２０）を介して少なくとも２つのローラ（７）に連結されており、該ローラをロックしおよび／または解放することを特徴とする請求項５記載の家具。
【請求項７】
前記フィッティング（８）は、使用位置から立上がり補助位置および／またはこの逆への座面および／またはリクライニング面の調節を行うべく設けられていることを特徴とする請求項４〜６のいずれか１項記載の家具。
【請求項８】
前記フィッティング（８）は、レバー機構（１３）を作動させるロッカースイッチ（１４）を有し、
該ロッカースイッチ（１４）は、レバー機構（１３）の作動により第１位置から第２位置へと移動されるように構成されていることを特徴とする請求項４〜７のいずれか１項記載の家具。
【請求項９】
前記ロッカースイッチ（１４）は、第１位置においてレバー機構（１３）と接触してローラ（７）をロックし、かつ第２位置においてレバー機構（１３）と接触してローラ（７）を解放し、かつ各場合における過程で他方の位置に移動されることを特徴とする請求項８記載の家具。
【請求項１０】
前記ロッカースイッチはスプリング要素を有し、該スプリング要素はそのスプリング力により、第１位置から第２位置へのロッカースイッチの移動に反作用し、スプリング要素はまた、固定手段のレバー機構の作動後に、ロッカースイッチを第１位置に戻すことを特徴とする請求項８記載の家具。
【請求項１１】
前記ロッカースイッチは、レバー機構の作動により、第１位置から第３位置に移動されるように構成され、
ロッカースイッチはスプリング要素を有し、該スプリング要素は、スプリング力により、第１位置から第３位置へのロッカースイッチの移動に反作用し、かつ固定手段のレバー機構の作動後に、ロッカースイッチを第１位置に戻すことを特徴とする請求項１０記載の家具。
【請求項１２】
前記レバー機構（１３）はピボットアーム（１８）を有し、該ピボットアームは、使用位置から立上がり補助位置および／またはこの逆への座面および／またはリクライニング面の調節中にロッカースイッチ（１４）と接触し、
ピボットアーム（１８）は、レバー機構（１３）がローラ（７）をロックしおよび／または解放する前に、フィッティング（８）との接触により、最初に別々にかつ自由にピボット運動されることを特徴とする請求項５〜１１のいずれか１項記載の家具。
【請求項１３】
使用位置から立上がり補助位置および／またはこの逆への座面および／またはリクライニング面の調節を行う作動ドライブ（９）が設けられ、
該作動ドライブ（９）の起動により固定手段（１２）が強制的に作動されるように、作動ドライブ（９）が固定手段（１２）に連結されていることを特徴とする請求項１〜１２のいずれか１項記載の家具。
【請求項１４】
前記作動ドライブ（９）および固定手段（１２）は、各場合に、機械的、電気的、油圧的または空気圧的に作動されるように構成されていることを特徴とする請求項１３記載の家具。
【請求項１５】
座椅子家具、より詳しくはアームチェアまたはソファおよび／またはリクライニング家具、より詳しくはカウチまたはベッドであることを特徴とする請求項１〜１４のいずれか１項記載の家具。
【発明の詳細な説明】
【技術分野】
【０００１】
本発明は、座面および／またはリクライニング面を備えた家具であって、座面および／またはリクライニング面は、使用位置から立上がり補助位置への調節およびこの逆への調節が可能であり、かつ座面および／またはリクライニング面は、使用位置と比較して、立上がり補助位置では少なくとも部分的に上昇および／または下降される構成の家具に関する。
【背景技術】
【０００２】
この形式の家具は、特に老齢者および病人が家具から容易に立上がることができるようにするのに使用される。従来技術では、特に、アームチェアの形態をなす座椅子家具が、多くの異なる形態で知られている。概略的にいえば、この形式の家具では、座面が持ち上げられかつ前方にピボット移動されることにより、使用者が座椅子家具から容易に立上がることができる。この形式の座椅子家具は、例えば下記特許文献１から知られている。
【０００３】
しかしながら、リクライニング面がその高さおよび傾斜に関して調節できるベッドも知られている。このベッドもまた、そのリクライニング面を、使用者がベッドから立上がることを容易にする位置に移動させることができる。
【０００４】
冒頭で述べた形式の家具は、殆どの老齢者または病人の使用者が容易に移動させることができないのが欠点である。すなわち、立上がり補助位置を備えた既知の家具は、家具の不意の移動によってアクシデントが生じないようにするため、剛性のある固定位置を必要とする。既知の家具は、若くかつ健康な人による大きい努力によってのみ移動でき、このため、一般に、使用者は家具を置いたままにしておかなくてはならない。
【先行技術文献】
【特許文献】
【０００５】
【特許文献１】独国実用新案第２０ ２００４ ０１８ ８９８（Ｕ１）号明細書
【発明の概要】
【発明が解決しようとする課題】
【０００６】
したがって本発明の目的は、冒頭に述べかつより詳細に説明した家具であって、家具の全体をより容易に移動できるように構成された家具を開発することにある。
【課題を解決するための手段】
【０００７】
上記目的は、特許請求の範囲の請求項１の前提部に記載の特徴を有する家具であって、家具を移動させるための複数のローラが設けられ、少なくとも１つのローラをロックするための固定手段が設けられ、該固定手段は、座面および／またはリクライニング面を使用位置から立上がり補助位置に調節する間に少なくとも１つのローラを強制的にロックするように構成されている家具により達成される。
【０００８】
本発明による家具にはローラが設けられており、該ローラの補助により、家具は或る場所から他の場所へと容易に変位できる。家具の変位は、少なくとも４つのローラが設けられている場合に特に容易に行うことができる。４つのローラは、家具の４隅に設けることができる。家具が４つの脚または足を有している場合には、前記４隅のローラに代えてまたは４隅のローラに加えて、４つのローラを４つの脚または足に設けることもできる。
【０００９】
ローラの使用と、立上がり補助位置を採用する家具の可能性とは、基本的に、家具の相容れない２つの形態をなすものである。車椅子または病院用ベッド等の家具のように容易な移動が可能であるか、あるいは家庭内使用で人が家具から立上がることが容易になるかどちらかであろう。
【００１０】
本発明は、座面および／またはリクライニング面が使用位置から立上がり補助位置に調節されるときに、少なくとも１つのローラを強制的にロックする固定手段が設けられるならば、立上がり補助位置を採用する家具でもローラを設けることができることを認識した。使用位置では家具は容易に変位でき、一方、立上がり補助位置では家具は確実な立上がり位置を確保する。少なくとも１つのローラを強制的にロックすることにより、特に老齢者および病人による使用中に信頼性をもって防止されなくてはならない不意の欠陥作動は生じなくなる。特に老齢者または病人の使用者では、欠陥作動は、椅子からの落下等をもたらす虞れがある。
【００１１】
家具によっては、立上がり補助位置を採用するため、座面またはリクライニング面は、使用位置から全体として上昇または下降される。しかしながら、座面またはリクライニング面を部分的にのみ下降または上昇させるように構成することもできる。この場合には、座面またはリクライニング面のピボット運動または傾動が行われる。この場合、適当な立上がり補助位置を採用できるようにするため、座面および／またはリクライニング面の全体の上昇または下降に加えて、対応するピボット運動を組合わせることができる。これに加えまたはこの代わりに、座面またはリクライニング面は、同時的に一部が下方にピボット運動されかつ部分的に上方にピボット運動されるように構成できる。
【００１２】
最後に、立上がり補助位置は、基本的に、老齢者または病人の使用者が家具から容易に立上がることができるようにするための、家具すなわち座面またはリクライニング面の任意の位置を意味する。しかしながら、ここで、立上がり補助位置は、家具の少なくとも１つの使用位置とは大きく異なるものである。
【００１３】
少なくとも１つのローラをロックしおよび／または解放するのに、固定手段を形成する複数のコンポーネンツを使用するのが好ましい。しかしながら、この場合でも、固定手段は単一のコンポーネントで形成することもできる。
【００１４】
また、立上がり補助位置での家具の固定を保証するのに、必ずしも家具の全てのローラをロックする必要はない。少なくとも家具にピボット運動可能に取付けられたローラを立上がり補助位置にロックするのが好都合である。全てのローラが家具にピボット運動可能に取付けられている場合には、家具の全てのローラを立上がり補助位置にロックするのが有利である。
【００１５】
家具の第１形態では、固定手段は、立上がり補助位置から使用位置への座面および／またはリクライニング面の調節中に、少なくとも１つのローラを強制的に解放するように構成されている。この結果、高度の快適性が達成されかつ使用位置で家具が変位されることが確保される。かくして、家具すなわち座面および／またはリクライニング面が立上がり補助位置にある限り、少なくとも１つのローラのみがロックされる。
【００１６】
少なくとも１つのローラをロックしおよび／または解放すべく、固定手段の簡単かつ確実な作動を達成するため、固定手段は、機械的に、電気的に、油圧的におよび／または空気圧的に作動される。機械的に作動される固定手段は、殆ど故障を受けることがない。これに対し、電気的に作動される固定手段は非常に小さく構成できる。油圧的および空気圧的に作動される固定手段は、大きい力を伝達できる。この場合、空気圧により作動される固定手段は、作動手段（空気）を常時利用できるという長所を有している。
【００１７】
固定手段の強制的作動は、フィッティングが設けられており、該フィッティングは、使用位置から立上がり補助位置への座面および／またはリクライニング面の調節中に固定手段と接触して、該固定手段が少なくとも１つのローラをロックするように作動させるという構造的に簡単な態様で確保される。これとは別にまたはこれに加えて、フィッティングは、立上がり補助位置から使用位置に戻る座面および／またはリクライニング面の調節中に固定手段に接触して、以前にロックされた少なくとも１つのローラを再び解放することができる。
【００１８】
故障の可能性が低い固定手段が簡単に作動できるように、固定手段はレバー機構で構成できる。レバー機構は、使用位置から立上がり補助位置への座面および／またはリクライニング面の調節中にフィッティングと接触する。この接触により、固定手段が作動され、少なくとも１つのローラがロックされる。これに代えまたはこれに加えて、レバー機構は、立上がり補助位置から使用位置への座面および／またはリクライニング面の調節中にフィッティングと接触し、これにより固定手段が作動され、少なくとも１つのローラが解放される。
【００１９】
構造的に簡単な態様で２つ以上のローラを同時にロックしおよび／または解放できるようにするため、レバー機構は少なくとも２つのローラに連結して、該ローラをロックしおよび／または解放するように構成できる。この場合、簡単化のためには、少なくとも２つのローラを連結ロッドを介してレバー機構に連結するのが有利である。
【００２０】
これとは別にまたはこれに加え、レバー機構は、フィッティングとの接触によりピボット運動され、このピボット運動は固定手段のコンポーネントの回転運動に変換されて、少なくとも１つのローラのロッキングおよび／または解放を行うように構成できる。
【００２１】
使用位置から立上がり補助位置および／またはこの逆への座面および／またはリクライニング面の調節を行うフィッティングを設けると有利な相乗効果が得られる。これに必要なフィッティングの運動は、固定手段を作動させるのに利用することもできる。
【００２２】
本発明の家具の他の好ましい形態では、フィッティングは、レバー機構を作動させるロッカースイッチを有している。レバー機構を作動すると、ロッカースイッチは第１位置から第２位置へと移動する。ロッカースイッチの使用により、フィッティングとレバー機構との好都合な相互係合が構造的に簡単な態様で実現される。
【００２３】
ロッカースイッチは、第１位置においてレバー機構と接触してローラをロックしかつ第２位置においてレバー機構と接触してローラを解放し、かくして各場合に他位置に移動される。このため、レバー機構の一方向への作動後に、ロッカースイッチは、再びレバー機構を他方向に作動すべく適当位置を採用できる。この場合、任意であるが、ロッカースイッチは、レバー機構を通って移動され、使用位置から立上がり補助位置および／またはこの逆への座面および／またはリクライニング面の調節中に、信頼性をもってレバー機構に当接すなわち係合して固定手段を作動し、少なくとも１つのローラをロックしおよび／または解放する。
【００２４】
別の構成として、ロッカースイッチはスプリング要素を有し、該スプリング要素はそのスプリング力により、第１位置から第２位置へのロッカースイッチの移動に反作用し、かつ固定手段のレバー機構の作動後に、ロッカースイッチを第１位置に戻す。レバー機構の作動中に、ロッカースイッチは、例えばレバー機構を通って移動できるように、出発位置から偏倚位置に移動できる。スプリング手段のスプリング力により、ロッカースイッチは出発位置に戻される。これにより、ロッカースイッチが再びレバー機構を作動させるべく適当位置を採用することが確保される。
【００２５】
ここで、ロッカースイッチが、レバー機構の作動により、第１位置から第３位置に移動されるように構成されるならば特に好ましい。この移動は、前記スプリング手段または他のスプリング手段のスプリング力に抗して行われる。スプリング力の結果として、ロッカースイッチは、固定手段のレバー機構の作用後に第１位置に戻される。レバー機構が如何に作動されるか、換言すれば少なくとも１つのローラをロックするか解放するかにかかわらず、ロッカースイッチは、常にその出発位置に戻される。これにより、座面および／またはリクライニング面の更新調節中のレバー機構との信頼性ある接触すなわち係合が確保される。必要ならば、ロッカースイッチは、使用位置から立上がり補助位置への座面および／またはリクライニング面の調節中に、第１位置から第２位置に移動され、一方、立上がり補助位置から使用位置への座面および／またはリクライニング面の調節中には、第１位置から第３位置に移動される。
【００２６】
これとは別にまたはこれに加えて、レバー機構とフィッティングとの相互作用を互いに一致させるため、レバー機構にはピボットアームを設けることができる。使用位置から立上がり補助位置および／またはこの逆への座面および／またはリクライニング面の調節中に、ピボットアームはフィッティング、より詳しくはロッカースイッチと接触し、ピボットアームは、レバー機構が作動されてローラをロックしおよび／または解放する前に、最初に、別々におよび自由にピボット運動される。したがって、レバーアームのピボット運動だけでは、少なくとも１つのローラのロッキングおよび解放は行われない。その代わり、レバーアームは、レバー機構の適当な作動中およびフィッティングより詳しくはロッカースイッチの運動の固定手段への伝達中に、主としてコントロールレバーとして使用される。
【００２７】
使用位置から立上がり補助位置および／またはこの逆への座面および／またはリクライニング面の調節を行う作動ドライブを設けて、使用者により力を加えることなくまたは極く小さい力を加えて調節を行う場合には、作動ドライブの起動により固定手段が強制的に作動されるように、作動ドライブが固定手段に連結される。これにより、相乗的効果が達成され、必要ならば、固定手段を作動するのに作動ドライブを使用することもできる。
【００２８】
この場合、作動ドライブおよび固定手段は、同一的に、より詳しくは機械的、電気的、油圧的または空気圧的に作動される。種々の作動形式により、前述の長所が得られる。
【００２９】
家具は、好ましくは、座椅子家具であり、例えばアームチェアまたはソファとして構成できる。用途によっては、家具は、リクライニング家具、好ましくはカウチまたはベッドとして構成できる。
【図面の簡単な説明】
【００３０】
以下、少なくとも１つの例示実施形態を示す添付図面の補助により、本発明をより詳細に説明する。
【００３１】
【図１】使用位置にある本発明の家具の一実施形態を示す断面図である。
【図２】立上がり補助位置にある図１の家具を示す断面図である。
【図３】使用位置と立上がり補助位置との間の位置にある図１の家具を示す詳細側面図である。
【図４】使用位置にある図３の家具を示す詳細側面図である。
【図５】図３および図４の家具の細部を示す斜視図である。
【発明を実施するための形態】
【００３２】
図１は、椅子の形態をなす家具１の構成要素が概略的に示された縦断面図である。この場合、切断平面は、見る方向で見て手前から後方にあり、したがって家具１の手前の側部は示されていない。図示されていない側部は、家具１の他側に示された側部２と同じである。２つの外側の側部２の間には、シート（座部）３、背もたれ４およびフットレスト５が配置されている。また、家具１の各側部２には、家具１を移動させるための２つのローラ６、７が設けられている。図示の好ましい家具１では、後方のローラ７は、家具１の移動を容易にするためピボット運動できる。図示の好ましい家具１はアームチェアである。
【００３３】
家具１は、図１において使用位置（着座位置と呼ぶこともできる）にあるところが示されている。シート３、したがって座面（詳細には示されていないが、シート３により予め定められている）は、図示の好ましい家具では、使用位置から立上がり補助位置に調節できる。家具１すなわちシート３をその使用位置から立上がり補助位置へと調節するためのフィッティング８が設けられており、該フィッティング８は、図示の好ましい家具１では、シート３に対して背もたれ４をピボット運動させる。図示の家具１では、フィッティング８は、シート３、背もたれ４およびフットレスト５に連結されている。これにより、家具１を使用位置からリクライニング位置（図示せず）に調節できる。しかしながら、家具１を使用位置から立上がり補助位置に調節するには、フィッティング８をシート３のみに連結するだけで基本的に充分である。
【００３４】
図示の好ましい家具１を、その使用位置から立上がり補助位置に調節するため、フィッティング８は、電気ドライブの形態をなす作動ドライブ９に連結されている。作動ドライブ９はリニアドライブである。作動ドライブ９はまた、家具１のフレーム１０、より詳しくは家具１の側部２に連結されている。
【００３５】
図２は、立上がり補助位置にある家具１を示している。立上がり補助位置では、作動ドライブ９が使用位置に対して伸長され、その結果、シート３は、その後方領域が、前方領域のピボット軸線１１の回りで上方にピボット運動される。この場合、シート３は、この後方領域の支持体（使用位置において、該支持体上にシート３が載置される）に対して持ち上げられる。また、シート３は、立上がり補助位置が使用者にとってできる限り快適になるように、全体として上昇または下降するように構成することもできる。立上がり補助位置では、立上がり補助位置で家具１が移動できないように、特に後方に転がらないように後方ローラ７がロックされる。
【００３６】
この目的のため、後方ローラ７を一位置にロックする固定手段１２が後方ローラ７に関連配置されている。固定手段１２は、全体として図示されていないがレバー機構１３を有し、該レバー機構１３は、使用位置から立上がり補助位置および逆に立上がり補助位置から使用位置への家具１の調節中にフィッティング８と係合する。レバー機構１３は、第１態様では、後方ローラ７のロッキングを行うように作動される。第２態様では、レバー機構１３は、後方ローラ７を解放するように作動される。図示の好ましい家具１では、レバー機構１３は、上方位置において後方ローラ７のロッキングを行い、下方位置において後方ローラ７の解放を行う。
【００３７】
フィッティング８はロッカースイッチ１４を有し、該ロッカースイッチ１４を介してフィッティング８が固定手段１２のレバー機構１３と係合する。図示の好ましい家具１では、ロッカースイッチ１４は２つのアーム１５、１６を有している。両アーム１５、１６は互いにＶ型に配向されている。ロッカースイッチ１４の下方アーム１５は、シート３をその使用位置から立上がり補助位置に調節する間にレバー機構１３に当接して、レバー機構１３を下方位置から上方位置に移動させる。同時に、ロッカースイッチ１４はピボット軸線１７の回りで上方位置から下方位置にピボット運動される。ロッカースイッチ１４のこのピボット運動は、レバー機構１３とフィッティング８との調節後に、レバー機構１３によりこの運動をロックすることなく、ロッカースイッチ１４が更に上方にピボット運動できることを意味する。このことは、図３に、より詳しく示されている。
【００３８】
シート３の使用位置から立上がり補助位置への調節の間のロッカースイッチ１４のピボット運動により、同時に、ロッカースイッチ１４の上方アーム１６がフィッティング８に対する位置に到達する。これにより、シート３の立上がり補助位置から使用位置へのピボット運動中に、ロッカースイッチ１４の上方アーム１６が固定手段１２のレバー機構１３に当接することが確保される。この結果、レバー機構１３が下方位置に移動され、かつロッカースイッチ１４が、図４により詳細に示すその出発位置に移動される。フィッティング８の移動は、レバー機構１３に当接するロッカースイッチ１４によってはロックされない。また、ロッカースイッチ１４の下方アーム１５は、フィッティング８に対する位置に到達し、この位置では、シート３の使用位置から立上がり補助位置への調節中にレバー機構１３に当接する。
【００３９】
図示の好ましい家具１では、レバー機構１３は、該レバー機構１３にピボット連結されたピボットアーム１８を有している。レバーアーム１８のピボット運動だけでは、レバー機構１３を作動させて後方ローラ７をロックしまたは解放させることはできない。使用位置から立上がり補助位置への座面の調節中に、ピボットアーム１８はロッカースイッチ１４と係合する。この場合、ピボットアーム１８は、最初に上方にピボット運動し、より詳しくはストップ１９までピボット運動する。この位置では、ピボットアーム１８は、レバー機構１３をロッカースイッチ１４の方向に延長させる。
【００４０】
フィッティング８が立上がり補助位置の方向に更に移動されることによってロッカースイッチ１４が更に移動されると、該ロッカースイッチ１４の運動は固定手段１２のレバー機構１３に伝達される。かくして、レバー機構１３は上方位置に到達する。ロッカースイッチ１４が立上がり補助位置の方向に更に調節されると、ロッカースイッチ１４とピボットアーム１８とが互いに離脱する。重力の作用により、ピボットアーム１８は更に下方にピボット運動する。この位置では、ピボットアーム１８は、レバー機構１３をロッカースイッチ１４の方向に延長させないか、大きくは延長させない。かくして、ロッカースイッチ１４の下方アーム１５は、座面が再び立上がり補助位置から使用位置に戻る方向に調節されるときに、レバー機構１３と接触することなくレバー機構１３を通過する。固定手段１２のレバー機構１３を作動させて下方位置に移動させ、後方ローラ７を解放するには、最初にロッカースイッチ１４の上方アーム１６を固定手段１２のレバー機構１３に接触させる。
【００４１】
図５には、フィッティング８のロッカースイッチ１４のような、固定手段１２のレバー機構１３が斜視図で示されている。レバー機構１３は、連結ロッド２０により家具１の２つの後方ローラ７に同時に連結されている。この場合、連結ロッド２０は、一方向またはその逆方向のトルクにより、家具１の後方ローラ７のロッキングまたは解放を行う。
【００４２】
これは、ロッカースイッチの上記２アーム型形態ではなく、１アーム型形態にすることができる。この場合には、ロッカースイッチの１つのアームは、フィッティング上にピボット可能に保持されかつスプリング手段に連結されている。アームは、シートが使用位置から立上がり補助位置にピボット運動されるときに、フィッティングに対して出発位置（第１位置）において、固定手段のレバー機構に当接する。この場合、アームは、それ自体がスプリング力に抗して下方にピボット運動しつつ、レバー機構を上方に移動させる。シートが立上がり補助位置の方向に更にピボット運動されると、アームは端位置（第２位置）においてレバー機構を通過できる。レバー機構を通過すると、ロッカースイッチのアームは、スプリング力により出発位置に戻される。フィッティングに対するこの出発位置において、アームは、シートが立上がり補助位置から使用位置に調節されるときに、再びレバー機構に当接する。この場合、レバー機構は下方位置に戻されかつロッカースイッチのアームは、アームが他の端位置（第３位置）に到達するまで、スプリング力に抗して上方にピボット運動される。この位置において、アームは、シートが使用位置の方向に更に調節されるときに、レバー機構を通過する。次に、アームは、スプリング力の作用により、出発位置に戻される。
【００４３】
図示の好ましい家具１では、立上がり補助位置から使用位置への座面の調節中に、ロッカースイッチ１４を固定手段１２のレバー機構１３を通過してピボット運動させることはできない。使用位置では、ロッカースイッチ１４、より詳しくはロッカースイッチ１４の上方アーム１６は、レバー機構１３に接触した状態に維持される。これとは別にまたはこれに加えて、同じことを立上がり補助位置に適用することもできる。立上がり補助位置では、下方アーム１５は、固定手段１２のレバー機構１３に当接する。この場合、ロッカースイッチ１４の対応アーム１５、１６は、レバー機構１３を通過して移動しなければならない。この場合、使用位置から立上がり補助位置（およびこの逆）へのシート３の調節中に、このために設けられたロッカースイッチ１４のアーム１５、１６がレバー機構１３に接触することは問題ないことに留意されたい。それにもかかわらず使用位置と立上がり補助位置との間の広範囲の調節を行うには、任意であるが、レバー機構１４（原文のまま）および／またはロッカースイッチ１４をかなり長く構成することができる。
【符号の説明】
【００４４】
１  家具
３  シート
４  背もたれ
６、７  ローラ
８  フィッティング
１２  固定手段
１３  レバー機構
１４  ロッカースイッチ
１５、１６  アーム
１８  ピボットアーム
２０  連結ロッド
【図１】
2011245304.tif 000003
【図２】
2011245304.tif 000004
【図３】
2011245304.tif 000005
【図４】
2011245304.tif 000006
【図５】
2011245304.tif 000007
【外国語明細書】
2011245304.tif 000008
2011245304.tif 000009
2011245304.tif 000010
2011245304.tif 000011
2011245304.tif 000012
2011245304.tif 000013
2011245304.tif 000014
2011245304.tif 000015
2011245304.tif 000016
2011245304.tif 000017
2011245304.tif 000018
2011245304.tif 000019
2011245304.tif 000020
2011245304.tif 000021
2011245304.tif 000022
2011245304.tif 000023
2011245304.tif 000024
2011245304.tif 000025
2011245304.tif 000026
2011245304.tif 000027
2011245304.tif 000028
2011245304.tif 000029
2011245304.tif 000030
2011245304.tif 000031
2011245304.tif 000032
2011245304.tif 000033
2011245304.tif 000034